(57)【要約】【課題】事前に検討をすることなく、照明器具と照明板による光ムラを軽減してエレベータかご室の天井の省スペース化・意匠性を向上、コストの低廉化、作業性の効率化を図ることができるエレベータかご室の天井照明装置を得る。【解決手段】エレベータかご室の天井に設けられた天蓋板１と、天蓋板１に取り付けられた照明器具２と、照明器具２らの光を透過させる照明板５と、天蓋板１の両側に斜めに垂下して設けられた遮光板３とを備えたエレベータかご室の天井照明装置において、遮光板３と、この遮光板３で包囲される天蓋板１の平面部分とに、照明器具２からの光を乱反射させる光反射部材を設け、この光反射部材として、静電植毛技術を応用して施される金属粉６を用いる。【選択図】        図１
2004155556.tif 000002
【特許請求の範囲】
【請求項１】
エレベータかご室の天井に設けられた天蓋板と、該天蓋板に取り付けられた照明器具と、該照明器具からの光を透過させる照明板と、上記天蓋板の両側に斜めに垂下して設けられた遮光板とを備えたエレベータかご室の天井照明装置において、
少なくとも上記天蓋板の所定の部分に上記照明器具からの光を乱反射させる光反射部材を設けたことを特徴とするエレベータかご室の天井照明装置。
【請求項２】
上記遮光板に上記照明器具からの光を乱反射させる光反射部材を設け、上記天蓋板の所定の部分が上記遮光板で包囲される該天蓋板の平面部分であることを特徴とする請求項１記載のエレベータかご室の天井照明装置。
【請求項３】
上記天蓋板および上記遮光部材に粘着性のある材質を塗布し、該材質に上記光反射部材を付着させることを特徴とする請求項１または２記載のエレベータかご室の天井照明装置。
【請求項４】
粘着性のある材質に予め上記光反射部材を付着させておき、該光反射部材の付着された材質を上記天蓋板および上記遮光板に貼り付けることを特徴とする請求項１または２記載のエレベータかご室の天井照明装置。
【請求項５】
上記照明板が非透光性板材からなり、該照明板に上記照明器具からの光を乱反射させる光反射部材を設けたことを特徴とする請求項１記載のエレベータかご室の天井照明装置。
【請求項６】
上記光反射部材として、静電植毛技術を応用して施される金属粉を用いたことを特徴とする請求項１〜５のいずれかに記載のエレベータかご室の天井照明装置。
【請求項７】
上記照明板の所定の部分を開口して透光性板材からなる複数の意匠部材を設け、該意匠部材が設けられた上記照明板の開口部分に上記照明器具からの光を乱反射させる光反射部材を付着したことを特徴とする請求項５記載のエレベータかご室の天井照明装置。
【請求項８】
上記遮光板の内側で上記天蓋板の両側に斜めに垂下して設けられた反射板を備え、該反射板の意匠面に上記照明器具からの光を乱反射させる光反射部材を付着したことを特徴とする請求項５または７記載のエレベータかご室の天井照明装置。
【請求項９】
上記光反射部材として、静電植毛パイルを用いたことを特徴とする請求項５，７または８記載のエレベータかご室の天井照明装置。
【請求項１０】
上記静電植毛パイルとして難燃材料のコーデラン（登録商標）を用いたことを特徴とする請求項９記載のエレベータかご室の天井照明装置。
【発明の詳細な説明】
【０００１】
【発明の属する利用分野】
この発明は、エレベータかご室の天井照明装置に関し、特に、エレベータかご室の天井の省スペース化・意匠性を向上させるエレベータかご室の天井照明装置に関するものである。
【０００２】
【従来の技術】
図１１は、従来のエレベータかご室の天井照明装置を示す断面図である。
従来のエレベータかご室の天井照明装置は、天蓋板１に取り付けられた複数の照明器具２と、これら照明器具２からの光を透過する照明板５とにより構成される。複数の照明器具２は一定間隔で配置されているため照明器具２と照明板５による光ムラ（光源部と何もない部分との光量の差）が生じる問題が発生する場合が多い。また、天井形状により同様な問題が顕著に表れるため、図１２に示すように、照明器具２の配置や個数を増やしたり、図１３に示すように、照明器具２に光拡散板１５を取り付けることにより、光ムラを低減させるようにしている。
【０００３】
【発明が解決しようとする課題】
ところで、上記のような従来のエレベータかご室の天井照明装置の場合には、光ムラが生じるために、天井深さ（照明器具と照明板との間隔）を浅くすることができないという問題点があった。また、光ムラを解決するため、天井内の照明器具に対して光拡散板を個々に取付けるには、調整作業の手間および部品点数が増え、しかも、光拡散板を取付けることで、かご室内の照度が低下するという問題点があった。また、光ムラを解決するため、天井内の照明器具の個数を増やす位置や、照明器具と天蓋板の補強・救出口蓋等の部品との干渉を検討するため時間が必要となるという問題点があった。さらに、光ムラ対策である光拡散板の取付けや照明器具の増加は、コストアップとなるという問題点があった。
【０００４】
この発明は、上記のような問題点を解消するためになされたものであり、事前に検討をすることなく、照明器具と照明板による光ムラを軽減してエレベータかご室の天井の省スペース化・意匠性を向上、コストの低廉化、作業性の効率化を図ることができるエレベータかご室の天井照明装置を提供することを目的とする。
【０００５】
【課題を解決するための手段】
この発明に係るエレベータかご室の天井照明装置は、エレベータかご室の天井に設けられた天蓋板と、該天蓋板に取り付けられた照明器具と、該照明器具からの光を透過させる照明板と、上記天蓋板の両側に斜めに垂下して設けられた遮光板とを備えたエレベータかご室の天井照明装置において、少なくとも上記天蓋板の所定の部分に上記照明器具からの光を乱反射させる光反射部材を設けたものである。
【０００６】
【発明の実施の形態】
以下、この発明の実施の形態を、図に基づいて説明する。
実施の形態１．
図１は、この発明の実施の形態１によるエレベータかご室の天井照明装置を示す断面図である。
図において、エレベータかご室の床から立設された壁の上縁部（図示せず）を覆う天蓋板１に複数の照明器具２が一定の間隔で取り付けられ、また、この天蓋板１の両側から斜めに垂下した遮光板３の下縁部に目地４が設けられ、この目地４にその周縁部が支持され、天蓋板１と対向して透光性板材例えば乳白樹脂板材からなる中央部分がアーチ形状の照明板５が設けられる。
【０００７】
ここで、本実施の形態では、かご室天井の照明器具２を取付ける天蓋板１と遮光板３と目地４とに、照明器具２からの光を乱反射させる光反射部材として、例えば静電植毛技術を応用し金属粉例えばアルミダイヤ６を施す。つまり、この金属粉の付着として、ここでは、遮光板３の照明器具２側の全面と、この遮光板３に囲まれる天蓋板１の平面部分と、目地４の照明器具２側の面とにアルミダイヤ６を付着し、この際のアルミダイヤ６の付着は、接着剤などの粘着材を天蓋板等に塗布し、静電気で飛散させて表面に付着させる、いわゆる静電植毛技術を応用するものである。
【０００８】
図２は、図１において天蓋板１、遮光板３および目地４に付着させたアルミダイヤ６により照明器具２からの光が乱反射して照明板５へ透過する状態を示している。これにより、照明板５への光ムラの影響が低減される。
【０００９】
このようにして、本実施の形態では、アーチ形照明板を有するエレベータかご室の天井照明装置において、天蓋板や遮光板等に金属粉としてアルミダイヤを付着し、照明器具からの光を乱反射させて照明板へ透過させることにより、照明板への光ムラの影響を低減することができ、また、照明器具の個数を増やすことなく、かご室照度を上げることができる。また、光ムラが低減できるため、天井深さを薄くすることにより省スペース化、天井上スペースの有効活用が可能となる。しかも、従来の如く照明器具の個数増加、光拡散板の取付けおよび調整作業などによる光ムラ対策が不要となるため、部品数の増加および取付け作業などの手間を削減することが可能となる。また、広い面積や特殊な形状部（凹凸）に影響なく容易に付着させることができるため、作業性・作業効率がよくなる。
【００１０】
実施の形態２．
図３は、この発明の実施の形態２によるエレベータかご室の天井照明装置を示す断面図である。ここでは、照明板の形状が全体にフラット形状の場合である。なお、図３において、図１と対応する部分には同一符号を付して説明する。
図において、エレベータかご室の床から立設された壁の上縁部（図示せず）を覆う天蓋板１に複数の照明器具２が一定の間隔で取り付けられ、また、この天蓋板１の両側から斜めに垂下した遮光板３の下縁部に目地４が設けられ、この目地４にその周縁部が支持され、天蓋板１と対向して例えば鉄板材からなるフラット形状の照明板５Ａが設けられる。この照明板５Ａには意匠面を構成する複数の意匠部材７が取り付けられ、この部分を通して照明板５Ａは照明器具２からの光を実質的に透過させることになる。また、遮光板３より内側にあって、天蓋板１と目地４との間に天蓋板１から斜めに垂下して反射板８が取り付けられる。
【００１１】
ここで、本実施の形態では、かご室天井の照明器具２を取付ける天蓋板１と照明板５Ａと目地４とには上記実施の形態１と同様に静電植毛技術を応用し金属粉例えばアルミダイヤ６を施してある。つまり、この金属粉の付着として、ここでは、反射板８に囲まれる天蓋板１の平面部分と、照明板５Ａの照明器具２側の全面と、目地４の照明器具２側の面とにアルミダイヤ６を付着する。また、天蓋板１の両側にある反射板８の意匠面（表面）には、照明器具２からの光を乱反射させる光反射部材として、静電植毛パイル９を全面に施してある。
【００１２】
図４は、図３において天蓋板１、照明板５Ａおよび目地４に付着させたアルミダイヤ６と、反射板８に付着させた静電植毛パイル９とにより照明器具２の光が乱反射して照明板５Ａの意匠部材７の部分へ透過されている状態を示している。これにより、照明板５Ａへの光ムラの影響が実質的に低減される。なお、静電植毛パイル９には主にナイロン素材が用いられているが、難燃材料、例えばコーデラン（登録商標）を静電植毛パイルとして使用することで、耐火法規にも対応可能である。
【００１３】
図５は、図３の一点鎖線で囲んだ意匠部材の部分を拡大して示す断面図である。
図において、照明板５Ａには開口穴１０が設けられており、この開口穴１０の部分には例えばアクリルブロックからなる透過性の意匠部材７が埋設されている。意匠部材７の上部には、この意匠部材７の頭部を押さえる透光性板材からなる乳白樹脂板１１が設けられ、この乳白樹脂板１１の両端が、照明板５Ａにその一端が溶接等で取り付けられている２本のボルト１２の各他端にボルト１３によって固定される。また、意匠部材７が埋設されている開口穴１０の周囲の照明板５Ａには静電植毛パイル９が付着されており、この静電植毛パイル９が一種の緩衝材として作用し、これにより、意匠部材７が輸送時などの振動の影響により損傷するのを防止している。
【００１４】
このようにして、本実施の形態では、フラット形照明板を有するエレベータかご室の天井照明装置において、天蓋板と照明板と目地に金属粉としてアルミダイヤを付着すると共に、天蓋板の両側に設けられた反射板に静電植毛パイルを付着し、照明器具からの光を乱反射させて照明板の意匠部材の部分へ透過させることにより、照明板への光ムラの影響を実質的に低減することができ、また、照明器具の個数を増やすことなく、かご室照度を上げることができる。また、照明板への光ムラの影響が低減できるため、天井深さを薄くすることにより省スペース化、天井上スペースの有効活用が可能となる。しかも、従来の如く照明器具の個数増加、光拡散板の取付けなどの光ムラ対策が不要となるため、部品数の増加および取付け作業などの手間を削減することが可能となる。また、意匠部材が埋設されている照明板の開口穴の周囲に静電植毛パイルを付着することで、意匠部材が輸送時などの振動の影響により損傷するのを防止できる。また、難燃材料のコーデランを静電植毛パイルとして使用することで、耐火法規にも対応可能である。
【００１５】
実施の形態３．
図６は、この発明の実施の形態３によるエレベータかご室の天井照明装置で用いられる金属粉を粘着性のある材質に付着する場合の一例を示す図である。
本実施の形態では、静電植毛技術を応用し金属粉であるアルミダイヤ６を両面テープ１４など粘着性のある材質に予め付着させる。そして、この粘着性のある両面テープ１４を、図７に示すように、遮光板３の全面に貼り付けたり、或いは天蓋板１に部分的に貼り付ける。勿論、上述した図１のように、この両面テープ１４は天蓋板１の平面部分の全面に貼り付けてもよい。
【００１６】
このようにして、本実施の形態では、アルミダイヤを両面テープなどの粘着性のある材質に予め付着させておき、それを天蓋板等の所定の部分に貼り付けることで、既設エレベータヘの光ムラ対策として、従来の如く光拡散板などの取り付けや照明器具の増加させる手段を用いる場合より低コストで済ますことができる。また、粘着性のある材質が両面テープなどの材質であるため取り扱い易く、作業性がよく、しかも、貼り付け時の位置調整作業が容易である。
【００１７】
実施の形態４．
図８は、この発明の実施の形態４によるエレベータかご室の天井照明装置を示す断面図である。ここでは、照明板の形状がフラット形状の場合である。なお、図８において、図１と対応する部分には同一符号を付して説明する。
図において、エレベータかご室の床から立設された壁の上縁部（図示せず）を覆う天蓋板１に複数の照明器具２が一定の間隔で取り付けられ、また、この天蓋板１の両側から斜めに垂下した遮光板３の下縁部に目地４が設けられ、この目地４にその周縁部が支持され、天蓋板１と対向して例えば透光性板材からなるフラット形状の照明板５Ｂが設けられる。
【００１８】
ここで、本実施の形態では、かご室天井の照明器具２を取付ける天蓋板１と遮光板３と目地４には静電植毛技術を応用し金属粉例えばアルミダイヤ６を施してある。つまり、この金属粉の付着として、ここでは、遮光板３に囲まれる天蓋板１の平面部分と、遮光板３の照明器具２側の全面と、目地４とにアルミダイヤ６を付着する。
【００１９】
このようにして、天蓋板１、遮光板３および目地４に付着させたアルミダイヤ６により、上述の図２と同様に、照明器具２からの光が乱反射して照明板５Ｂへ透過されるので、照明板５Ｂへの光ムラの影響が低減される。この際の天蓋板１に取付ける照明器具２と、この照明器具２の光を透過させる照明板５Ｂとの間隔は、図８では符号Ａで表している。
【００２０】
ところで、従来装置では、図１０に示すように、本実施の形態の如くかご室天井の照明器具２を取付ける天蓋板１等には静電植毛技術を応用し金属粉が何等施こされていないので、照明板５Ｂへの光ムラが生じ、天井深さ（照明器具２と照明板５Ｂとの間隔）を浅くすることができない。従って、この際の照明器具２と照明板５Ｂとの間隔を図１０に示すように符号Ｂで表すと、従来装置における照明器具２と照明板５Ｂとの間隔Ｂと、本実施の形態における照明器具２と照明板５Ｂとの間隔Ａとの関係は、Ｂ＞Ａの関係にある。
【００２１】
図９は、上述の図８および図１０に関連して天蓋板に取付ける照明器具と照明器具の光を透過させる照明板との間隔を、この発明と従来装置を対比して示したものである。
本実施の形態では、図８で説明したように、天蓋板１に取付ける照明器具２と、この照明器具２の光を透過させる照明板５Ｂとの間隔をＡの幅にすることが可能となり、図９に示すＣの幅分（実質的に従来装置における目地４の下端と本実施の形態における目地４の下端との間隔相当）を薄くしても光ムラの影響を低減できる。
【００２２】
このようにして、本実施の形態では、天蓋板、遮光板および目地に付着させたアルミダイヤにより、照明器具からの光を乱反射させて照明板へ透過させることで、照明器具と照明板との間隔を浅くしても、照明板への光ムラの影響を確実に低減することができると共に、装置の小型化、コストの低廉化ができる。
【００２３】
【発明の効果】
以上説明したように、この発明によれば、エレベータかご室の天井に設けられた天蓋板と、該天蓋板に取り付けられた照明器具と、該照明器具からの光を透過させる照明板と、上記天蓋板の両側に斜めに垂下して設けられた遮光板とを備えたエレベータかご室の天井照明装置において、少なくとも上記天蓋板の所定の部分に上記照明器具からの光を乱反射させる光反射部材を設けたので、照明板への光ムラの影響を低減することができると共に照明器具の個数を増やすことなく、かご室照度を上げることができるという効果がある。
【図面の簡単な説明】
【図１】この発明の実施の形態１によるエレベータかご室の天井照明装置を示す断面図である。
【図２】この発明の実施の形態１によるエレベータかご室の天井照明装置を示す断面図である。
【図３】この発明の実施の形態２によるエレベータかご室の天井照明装置を示す断面図である。
【図４】この発明の実施の形態２によるエレベータかご室の天井照明装置を示す断面図である。
【図５】この発明の実施の形態２によるエレベータかご室の天井照明装置の要部を示す断面図である。
【図６】この発明の実施の形態３によるエレベータかご室の天井照明装置の要部を示す断面図である。
【図７】この発明の実施の形態３によるエレベータかご室の天井照明装置を示す断面図である。
【図８】この発明の実施の形態４によるエレベータかご室の天井照明装置を示す断面図である。
【図９】この発明の実施の形態４によるエレベータかご室の天井照明装置と従来装置を対比して示す断面図である。
【図１０】従来のエレベータかご室の天井照明装置を示す断面図である。
【図１１】従来のエレベータかご室の天井照明装置を示す断面図である。
【図１２】従来のエレベータかご室の天井照明装置を示す断面図である。
【図１３】従来のエレベータかご室の天井照明装置を示す断面図である。
【符号の説明】
１  天蓋板、    ２  照明器具、    ３  遮光板、    ４  目地、    ５，５Ａ，５Ｂ  照明板、    ６  アルミダイヤ、    ７  意匠部材、    ８  反射板、    ９  静電植毛パイル、    １０  開口穴、    １１  乳白樹脂板、    １４  両面テープ。
【図１】
2004155556.tif 000003
【図２】
2004155556.tif 000004
【図３】
2004155556.tif 000005
【図４】
2004155556.tif 000006
【図５】
2004155556.tif 000007
【図６】
2004155556.tif 000008
【図７】
2004155556.tif 000009
【図８】
2004155556.tif 000010
【図９】
2004155556.tif 000011
【図１０】
2004155556.tif 000012
【図１１】
2004155556.tif 000013
【図１２】
2004155556.tif 000014
【図１３】
2004155556.tif 000015